(57)【特許請求の範囲】
【請求項１】
光ファイバ通信網の建設や保守にあたって、光ファイバ心線の誤切断や誤接続を回避するために心線対照を行うシステムで使用され、光ファイバ心線の下部側で前記光ファイバ心線に湾曲を与えることにより、前記光ファイバ心線に光ファイバ心線の上部側で入射された心線対照用光信号を光ファイバ心線外へ放射させ、前記放射された心線対照用光信号を検出する心線対照用光信号受光装置であって、
光ファイバ心線外へ放射させる前記心線対照用光信号の強度、及び、前記光ファイバ心線を伝搬する通信用光信号の強度を変化させることが可能な光強度変化手段を具備した心線対照用光信号受光装置において、
前記光強度変化手段は、前記光ファイバ心線に与える湾曲の形状を変えることで、光ファイバ心線外へ放射させる前記心線対照用光信号の強度、及び、前記光ファイバ心線を伝搬する通信用光信号の強度を変化させることが可能な湾曲手段を具備し、
前記湾曲手段は、前記光ファイバ心線を挾持して所定の異なる湾曲を与えるため、第１の曲率半径の凹部が形成された部分（以下「挾持凹部」という）と、この挾持凹部に対向する前記第１の曲率半径より小さい第２の曲率半径の凸部とこの凸部の両翼にあり湾曲面を一にする第３の曲率半径の第一の側凹部および第２の側凹部とが形成された部分（以下「挾持凸部」という）と、前記挾持凹部と前記挾持凸部の両翼との間に配置され、前記挾持凹部及び前記挾持凸部と共に前記光ファイバ心線を圧接し挾持することが可能な第１のアタッチメント部材および第２のアタッチメント部材とによって構成され、
前記第１側凹部と前記第１アタッチメント部材との間及び前記挾持凹部と前記第２アタッチメント部材との間、又は、前記挾持凹部と前記第1アタッチメント部材との間及び前記第２側凹部と前記第２アタッチメント部材との間に前記光ファイバ心線を挾持させることで、前記光ファイバ心線に与える湾曲の曲率半径が、前記第１側凹部側又は前記第２側凹部側の一方が小さく、他方が大きくなる心線対照用光信号受光装置を使用する方法であって、
前記アタッチメント部材の位置を調節して、前記通信用光信号の損失を所定のレベルに抑制しつつ、光ファイバ心線外へ放出させた前記心線対照用光信号を検出できるような湾曲を前記光ファイバ心線に与え、心線対照を行うことを特徴とする心線対照用光信号受光装置の使用方法。
【請求項２】
光ファイバ通信網の建設や保守にあたって、光ファイバ心線の誤切断や誤接続を回避するために心線対照を行うシステムで使用され、光ファイバ心線の下部側で前記光ファイバ心線に湾曲を与えることにより、前記光ファイバ心線に光ファイバ心線の上部側で入射された心線対照用光信号を光ファイバ心線外へ放射させ、前記放射された心線対照用光信号を検出する心線対照用光信号受光装置であって、
光ファイバ心線外へ放射させる前記心線対照用光信号の強度、及び、前記光ファイバ心線を伝搬する通信用光信号の強度を変化させることが可能な光強度変化手段を具備した心線対照用光信号受光装置において、
前記光強度変化手段は、前記光ファイバ心線に与える湾曲の形状を変えることで、光ファイバ心線外へ放射させる前記心線対照用光信号の強度、及び、前記光ファイバ心線を伝搬する通信用光信号の強度を変化させることが可能な湾曲手段を具備し、
前記湾曲手段は、前記光ファイバ心線を挾持して所定の異なる湾曲を与えるため、第１の曲率半径の凹部が形成された部分（以下「挾持凹部」という）と、この挾持凹部に対向する前記第１の曲率半径より小さい第２の曲率半径の凸部とこの凸部の両翼にあり湾曲面を一にする第３の曲率半径の第一の側凹部および第２の側凹部とが形成された部分（以下「挾持凸部」という）と、前記挾持凹部と前記挾持凸部の両翼との間に配置され、前記挾持凹部及び前記挾持凸部と共に前記光ファイバ心線を圧接し挾持することが可能な第１のアタッチメント部材および第２のアタッチメント部材とによって構成され、
前記第１側凹部と前記第１アタッチメント部材との間及び前記挾持凹部と前記第２アタッチメント部材との間、又は、前記挾持凹部と前記第1アタッチメント部材との間及び前記第２側凹部と前記第２アタッチメント部材との間に前記光ファイバ心線を挾持させることで、前記光ファイバ心線に与える湾曲の曲率半径が、前記第１側凹部側又は前記第２側凹部側の一方が小さく、他方が大きくなる心線対照用光信号受光装置を使用する方法であって、
前記アタッチメント部材の位置を調節して、前記心線対照用光信号の進行方向、つまり、光線路の上部下部を判定できるような湾曲を前記光ファイバ心線に与え、心線対照を行うことを特徴とする心線対照用光信号受光装置の使用方法。
【請求項３】
光ファイバ通信網の建設や保守にあたって、光ファイバ心線の誤切断や誤接続を回避するために心線対照を行うシステムで使用され、光ファイバ心線の下部側で前記光ファイバ心線に湾曲を与えることにより、前記光ファイバ心線に光ファイバ心線の上部側で入射された心線対照用光信号を光ファイバ心線外へ放射させ、前記放射された心線対照用光信号を検出する心線対照用光信号受光装置であって、
光ファイバ心線外へ放射させる前記心線対照用光信号の強度、及び、前記光ファイバ心線を伝搬する通信用光信号の強度を変化させることが可能な光強度変化手段を具備した心線対照用光信号受光装置において、
前記光強度変化手段は、前記光ファイバ心線に与える湾曲の形状を変えることで、光ファイバ心線外へ放射させる前記心線対照用光信号の強度、及び、前記光ファイバ心線を伝搬する通信用光信号の強度を変化させることが可能な湾曲手段を具備し、
前記湾曲手段は第１湾曲手段と第２湾曲手段で構成され、
前記第１湾曲手段は、前記光ファイバ心線を挾持して所定の湾曲を与えるため、第１の曲率半径の凹部が形成された部分（以下「挾持凹部」という）と、この挾持凹部に対向する前記第１の曲率半径より小さい第２の曲率半径の凸部とこの凸部の片方の翼にあり湾曲面を一にする第３の曲率半径の側凹部と前記凸部のもう片方の翼にあり湾曲面を一にする前記第１の曲率半径の側凸部とが形成された部分（以下「挾持凸部」という）と、前記挾持凹部と前記挾持凸部の前記片方の翼との間に配置され、前記挾持凹部及び前記挾持凸部と共に前記光ファイバ心線を圧接し挾持することが可能なアタッチメント部材とによって構成されたこと、
前記第２湾曲手段は、前記光ファイバ心線を挾持して所定の湾曲を与えるため、前記第１の曲率半径の凹部が形成された部分（以下「挾持凹部」という）と、この挾持凹部に対向する前記第２の曲率半径の凸部とこの凸部の、前記第１湾曲手段における前記側凹部とは逆の片方の翼にあり湾曲面を一にする前記第３の曲率半径の側凹部と前記凸部のもう片方の翼にあり湾曲面を一にする前記第１の曲率半径の側凸部とが形成された部分（以下「挾持凸部」という）と、前記挾持凹部と前記挾持凸部の前記片方の翼との間に配置され、前記挾持凹部及び前記挾持凸部と共に前記光ファイバ心線を圧接し挾持することが可能なアタッチメント部材とによって構成されたこと
を特徴とする心線対照用光信号受光装置。
【請求項４】
光ファイバ通信網の建設や保守にあたって、光ファイバ心線の誤切断や誤接続を回避するために心線対照を行うシステムで使用され、光ファイバ心線の下部側で前記光ファイバ心線に湾曲を与えることにより、前記光ファイバ心線に光ファイバ心線の上部側で入射された心線対照用光信号を光ファイバ心線外へ放射させ、前記放射された心線対照用光信号を検出する心線対照用光信号受光装置であって、
光ファイバ心線外へ放射させる前記心線対照用光信号の強度、及び、前記光ファイバ心線を伝搬する通信用光信号の強度を変化させることが可能な光強度変化手段を具備した心線対照用光信号受光装置において、
前記光強度変化手段は、前記光ファイバ心線に与える湾曲の形状を変えることで、光ファイバ心線外へ放射させる前記心線対照用光信号の強度、及び、前記光ファイバ心線を伝搬する通信用光信号の強度を変化させることが可能な湾曲手段を具備し、
前記湾曲手段は、前記光ファイバ心線を挾持して所定の湾曲を与えるため、第１の曲率半径の凹部が形成された部分（以下「挾持凹部」という）と、この挾持凹部に対向する前記第１の曲率半径より小さい第２の曲率半径の凸部とこの凸部の片方の翼にあり湾曲面を一にする第３の曲率半径の側凹部と前記凸部のもう片方の翼にあり湾曲面を一にする前記第１の曲率半径の側凸部とが形成された部分（以下「挾持凸部」という）と、前記挾持凹部と前記挾持凸部の前記片方の翼との間に配置され、前記挾持凹部及び前記挾持凸部と共に前記光ファイバ心線を圧接し挾持することが可能なアタッチメント部材とによって構成されたことを特徴とする心線対照用光信号受光装置。
【請求項５】
請求項３に記載の心線対照用光信号受光装置を使用する方法であって、第１の湾曲手段と第２の湾曲手段を切り換えて前記光ファイバ心線に湾曲を与え、光線路の上部下部の特定を行うことを特徴とする心線対照用光信号受光装置の使用方法。
【請求項６】
請求項４に記載の心線対照用光信号受光装置自体を持ち替えて、光線路の上部下部の特定を行うことを特徴とする心線対照用光信号受光装置の使用方法。
【請求項７】
光ファイバ通信網の建設や保守にあたって、光ファイバ心線の誤切断や誤接続を回避するために心線対照を行うシステムで使用され、光ファイバ心線の下部側で前記光ファイバ心線に湾曲を与えることにより、前記光ファイバ心線に光ファイバ心線の上部側で入射された心線対照用光信号を光ファイバ心線外へ放射させ、前記放射された心線対照用光信号を検出する心線対照用光信号受光装置であって、
光ファイバ心線外へ放射させる前記心線対照用光信号の強度、及び、前記光ファイバ心線を伝搬する通信用光信号の強度を変化させることが可能な光強度変化手段を具備した心線対照用光信号受光装置において、
前記光強度変化手段は、前記光ファイバ心線に与える湾曲の形状を変えることで、光ファイバ心線外へ放射させる前記心線対照用光信号の強度、及び、前記光ファイバ心線を伝搬する通信用光信号の強度を変化させることが可能な湾曲手段を具備し、
前記湾曲手段は、前記光ファイバ心線を挾持して所定の異なる湾曲を与えるため、第１の曲率半径の凹部が形成された部分（以下「挾持凹部」という）と、この挾持凹部に対向する前記第１の曲率半径より小さい第２の曲率半径の凸部とこの凸部の両翼にあり湾曲面を一にする第３の曲率半径の第一の側凹部および第２の側凹部とが形成された部分（以下「挾持凸部」という）と、前記挾持凹部と前記挾持凸部の両翼との間に配置され、前記挾持凹部及び前記挾持凸部と共に前記光ファイバ心線を圧接し挾持することが可能な第１のアタッチメント部材および第２のアタッチメント部材とによって構成され、
前記第１側凹部と前記第１アタッチメント部材との間及び前記挾持凹部と前記第２アタッチメント部材との間、又は、前記挾持凹部と前記第1アタッチメント部材との間及び前記第２側凹部と前記第２アタッチメント部材との間に前記光ファイバ心線を挾持させることで、前記光ファイバ心線に与える湾曲の曲率半径が、前記第１側凹部側又は前記第２側凹部側の一方が小さく、他方が大きくなることを特徴とする心線対照用光信号受光装置。
【発明の詳細な説明】
【０００１】
【発明の属する技術分野】
本発明は光ファイバ通信網の建設や保守にあたり、光ファイバ心線の誤切断や誤接続を回避するために、光ファイバ心線の特定を行う心線対照システムで使用する心線対照用光信号受光装置、および、この装置の使用方法に関する。
【０００２】
【従来の技術】
光ファイバ通信網の建設や保守にあたり、光ファイバ心線の誤切断や誤接続といった事態を発生させないために、作業現場において光ファイバケーブル内の光ファイバ心線、あるいは、お客さま宅の光ファイバ心線の個別識別を行う必要がある。この作業を心線対照と呼び、通常は図１に示すような方法で実施されている。
【０００３】
即ち、図１において、対照を必要とする光ファイバ心線１の上部側（図１では左側）に設置した心線対照用光信号光源装置（以下「光源装置」という）２から、心線対照用光信号入射装置（以下「入射装置」という）３を介して、光ファイバ心線１に心線対照用光信号（以下、「対照光」という）を入射する。光ファイバ心線１の下部側（図１では右側）では、心線対照用光信号受光装置（以下「受光装置」という）４を用いて光ファイバ心線１に曲げを与えることにより、対照光を光ファイバ心線１外へ放射させて、この対照光を検出する。
【０００４】
ここで、光源装置２は、お客さま宅へ情報等を提供するために光ファイバ心線１を伝搬する通信用光信号（以下「通信光」という）よりも波長が長いレーザーダイオード（ＬＤ）や発光ダイオード（ＬＥＤ）等の光に２７０Ｈｚの周波数変調を加えた光を発光する装置である。例えば、通信光の波長が１．３１μｍの場合は対照光の波長に１．５５μｍが採用され、通信光の波長が１．５５μｍの場合は対照光の波長に１．６５μｍが採用される。
【０００５】
入射装置３としては、光ファイバカップラや導波路型方向性結合器などが用いられたり、あるいは、光ファイバ心線１の上部側端面から直接対照光が入射されたりする。
【０００６】
受光装置４には、通信光の損失をある所定のレベルに抑制しつつ、光ファイバ心線１外へ対照光のみを効率的に放射させるための湾曲機構が設けられているとともに、この放射させた光を受光するためのＧｅフォトダイオードやＩｎＧａＡｓフォトダイオード等の心線対照用光信号受光素子（以下「受光素子」という）が設けられており、対照光の有無や強度測定をすることができる。
【０００７】
このような構成により、通信光の送受信中であっても、光ファイバ心線１の上部側から入射した対照光を下部側の作業者が受光装置４を用いて検出することにより、心線対照が遂行される。
【０００８】
なお、従来から使用している光源装置２、入射装置３及び受光装置４からなる心線対照システムの代表的なものとしては、例えば下記文献に示されている。
文献：「榎本ほか：”ハイブリッド型光モジュールを用いた小型光ファイバＩＤテスタの設計”、１９９６年電子情報通信学会通信ソサイエティ大会講演論文集（分冊：通信２）、講演番号Ｂ−９７６、Ｐ．４６１」
【０００９】
図２に、従来から使用している受光装置４が光ファイバ心線１に与える湾曲の形状を示す。図２中の湾曲部分４ａの形状から判るように、従来は湾曲形状が左右対称であり、そのため、光ファイバ心線１の上部側（図２では左側）、下部側（図２では右側）のどちらから対照光が入射されても、心線対照が可能で、なおかつ、対照光の強度測定においても同じ計測値が得られることから、作業の簡素化が図られていた。
【００１０】
【発明が解決しようとする課題】
前述のとおり、従来の心線対照システムでは、受光装置４を用いて光ファイバ心線１に左右対称の湾曲を与え、光ファイバ心線１外に対照光を放射させ、これを受光素子で検出することにより、心線対照を可能にしている。このとき、情報提供等のサービスに影響のない範囲ではあるが、通信光にも光ファイバ心線１を湾曲させたことによる損失が発生する。
【００１１】
そこで、従来の受光装置４では、光ファイバ心線１を挾持しても光ファイバ心線１が破損や欠損しないことはもちろんのこと、確実に対照光を検出できるように対照光を光ファイバ心線１外へ放射でき、かつ、通信光の損失をある所定のレベルに抑制するべく、光ファイバ心線１を圧接し挾持する曲率半径を選択している。
【００１２】
しかしながら、近年、通信光として従来から使用してきた１．３１μｍと１．５５μｍに加え、Ｌバンド（１．５６５μｍ〜１．６２５μｍ：ＩＴＵ−Ｔ勧告）帯域の波長が使用されつつある。光ファイバ心線１を湾曲させたことにより発生する損失は波長が長くなるにつれて大きくなることは原理的にいうまでもないことであるが、従来の受光装置４はＬバンド通信光に対する損失を抑制するようには設計されていないため、心線対照作業時に送受信中のＬバンド通信光に大きな損失を発生させ、通信品質が低下する恐れがあった。
【００１３】
Ｌバンド通信光の損失を抑制するだけならば、原理的に、単純に光ファイバ心線１に与える湾曲の曲率半径を大きくすれば良いが、そうすると逆に、対照光の放射量が減少し、確実な対照光の検出が行えず、ひいては心線対照が行えないことになり、光ファイバ通信網の建設や保守などの工事遂行にとって大きな妨げとなる。
【００１４】
また、これまでの光ファイバケーブルの設備量が少ない光サービス需要の黎明期において主流であったスター網においては、光線路の上部下部の特定は目視で十分可能であり、従来から使用してきた受光装置４の湾曲形状が左右対称であることによる効果が発揮できた。
【００１５】
しかし、今後増加していく光サービス需要のための配線形態の１つであるループ網においては、１本１本の光ファイバ心線１個々の上部下部の特定は、目視はおろか、従来の受光装置４を用いたとしても、行うことができない。
【００１６】
これは、光線路の上部下部は対照光の進行方向に関係するものなので、ループ網では光ファイバ心線１の上部側にて対照光を入射しても、対照光が下部側から受光装置４に達することがあるためである。言い換えれば、ループ網の場合、従来の受光装置４は湾曲形状が左右対称であるため下部側からの対照光も検出することになる。
【００１７】
従って、従来の受光装置４を用いた場合、ループ網では、該当する光ファイバ心線１の特定までしか行うことができず、光ファイバ心線１の切断位置を詳細に決めるための光線路の上部下部を特定することはできず、誤った位置で光ファイバ心線１を切断してしまう可能性があった。
【００１８】
本発明は上述の事情に鑑みてなされたものであり、その目的の１つは、通信光としてＬバンドが使用された環境下でも、通信光の損失を抑制しつつ効率的に光ファイバ心線の特定を行うことができる手段を提供することである。
【００１９】
本発明のもう１つの目的は、光線路の上部と下部の判定を確実に行うことができる手段を提供することである。
【００２０】
【課題を解決するための手段】
１番目の目的は、受光装置において、通信光の強度や、光ファイバ心線外へ放射させる対照光の強度を変化させることにより達成できる。これらの光強度は、例えば、光ファイバ心線に与える湾曲の形状を変えることで変化させることが可能である。２番目の目的は、受光装置において、光ファイバ心線に与える湾曲の形状を左右非対称とすることにより達成できる。以下、発明特定事項を示す。
【００２１】
第７発明は、光ファイバ通信網の建設や保守にあたって、光ファイバ心線の誤切断や誤接続を回避するために心線対照を行うシステムで使用され、光ファイバ心線の下部側で前記光ファイバ心線に湾曲を与えることにより、前記光ファイバ心線に光ファイバ心線の上部側で入射された心線対照用光信号を光ファイバ心線外へ放射させ、前記放射された心線対照用光信号を検出する心線対照用光信号受光装置であって、光ファイバ心線外へ放射させる前記心線対照用光信号の強度、及び、前記光ファイバ心線を伝搬する通信用光信号の強度を変化させることが可能な光強度変化手段を具備した心線対照用光信号受光装置において、前記光強度変化手段は、前記光ファイバ心線に与える湾曲の形状を変えることで、光ファイバ心線外へ放射させる前記心線対照用光信号の強度、及び、前記光ファイバ心線を伝搬する通信用光信号の強度を変化させることが可能な湾曲手段を具備し、前記湾曲手段は、前記光ファイバ心線を挾持して所定の異なる湾曲を与えるため、第１の曲率半径の凹部が形成された部分（以下「挾持凹部」という）と、この挾持凹部に対向する前記第１の曲率半径より小さい第２の曲率半径の凸部とこの凸部の両翼にあり湾曲面を一にする第３の曲率半径の第一の側凹部および第２の側凹部とが形成された部分（以下「挾持凸部」という）と、前記挾持凹部と前記挾持凸部の両翼との間に配置され、前記挾持凹部及び前記挾持凸部と共に前記光ファイバ心線を圧接し挾持することが可能な第１のアタッチメント部材および第２のアタッチメント部材とによって構成され、前記第１側凹部と前記第１アタッチメント部材との間及び前記挾持凹部と前記第２アタッチメント部材との間、又は、前記挾持凹部と前記第1アタッチメント部材との間及び前記第２側凹部と前記第２アタッチメント部材との間に前記光ファイバ心線を挾持させることで、前記光ファイバ心線に与える湾曲の曲率半径が、前記第１側凹部側又は前記第２側凹部側の一方が小さく、他方が大きくなることを特徴とする。
【００２５】
第３発明は、光ファイバ通信網の建設や保守にあたって、光ファイバ心線の誤切断や誤接続を回避するために心線対照を行うシステムで使用され、光ファイバ心線の下部側で前記光ファイバ心線に湾曲を与えることにより、前記光ファイバ心線に光ファイバ心線の上部側で入射された心線対照用光信号を光ファイバ心線外へ放射させ、前記放射された心線対照用光信号を検出する心線対照用光信号受光装置であって、光ファイバ心線外へ放射させる前記心線対照用光信号の強度、及び、前記光ファイバ心線を伝搬する通信用光信号の強度を変化させることが可能な光強度変化手段を具備した心線対照用光信号受光装置において、前記光強度変化手段は、前記光ファイバ心線に与える湾曲の形状を変えることで、光ファイバ心線外へ放射させる前記心線対照用光信号の強度、及び、前記光ファイバ心線を伝搬する通信用光信号の強度を変化させることが可能な湾曲手段を具備し、前記湾曲手段が第１湾曲手段と第２湾曲手段で構成され、第１湾曲手段は、光ファイバ心線を挾持して所定の湾曲を与えるため、第１の曲率半径の凹部が形成された挾持凹部と、この挾持凹部に対向する前記第１の曲率半径より小さい第２の曲率半径の凸部とこの凸部の片方の翼にあり湾曲面を一にする第３の曲率半径の側凹部と前記凸部のもう片方の翼にあり湾曲面を一にする第１の曲率半径の側凸部とが形成された挾持凸部と、前記挾持凹部と前記挾持凸部の前記片方の翼との間に配置され、前記挾持凹部及び前記挾持凸部と共に前記光ファイバ心線を圧接し挾持することが可能なアタッチメント部材とによって構成されたこと、第２湾曲手段が、光ファイバ心線を挾持して所定の湾曲を与えるため、第１の曲率半径の凹部が形成された挾持凹部と、この挾持凹部に対向する第２の曲率半径の凸部とこの凸部の、第１湾曲手段における側凹部とは逆の片方の翼にあり湾曲面を一にする第３の曲率半径の側凹部と前記凸部のもう片方の翼にあり湾曲面を一にする第１の曲率半径の側凸部とが形成された挾持凸部と、前記挾持凹部と前記挾持凸部の前記片方の翼との間に配置され、前記挾持凹部及び前記挾持凸部と共に前記光ファイバ心線を圧接し挾持することが可能なアタッチメント部材とによって構成されたことを特徴とする。
【００２６】
第４発明は、光ファイバ通信網の建設や保守にあたって、光ファイバ心線の誤切断や誤接続を回避するために心線対照を行うシステムで使用され、光ファイバ心線の下部側で前記光ファイバ心線に湾曲を与えることにより、前記光ファイバ心線に光ファイバ心線の上部側で入射された心線対照用光信号を光ファイバ心線外へ放射させ、前記放射された心線対照用光信号を検出する心線対照用光信号受光装置であって、光ファイバ心線外へ放射させる前記心線対照用光信号の強度、及び、前記光ファイバ心線を伝搬する通信用光信号の強度を変化させることが可能な光強度変化手段を具備した心線対照用光信号受光装置において、前記光強度変化手段は、前記光ファイバ心線に与える湾曲の形状を変えることで、光ファイバ心線外へ放射させる前記心線対照用光信号の強度、及び、前記光ファイバ心線を伝搬する通信用光信号の強度を変化させることが可能な湾曲手段を具備し、前記湾曲手段が、光ファイバ心線を挾持して所定の湾曲を与えるため、第１の曲率半径の凹部が形成された挾持凹部と、この挾持凹部に対向する前記第１の曲率半径より小さい第２の曲率半径の凸部とこの凸部の片方の翼にあり湾曲面を一にする第３の曲率半径の側凹部と前記凸部のもう片方の翼にあり湾曲面を一にする前記第１の曲率半径の側凸部とが形成された挾持凸部と、前記挾持凹部と前記挾持凸部の前記片方の翼との間に配置され、前記挾持凹部及び前記挾持凸部と共に前記光ファイバ心線を圧接し挾持することが可能なアタッチメント部材とによって構成されたことを特徴とする。
【００２７】
第１発明は、光ファイバ通信網の建設や保守にあたって、光ファイバ心線の誤切断や誤接続を回避するために心線対照を行うシステムで使用され、光ファイバ心線の下部側で前記光ファイバ心線に湾曲を与えることにより、前記光ファイバ心線に光ファイバ心線の上部側で入射された心線対照用光信号を光ファイバ心線外へ放射させ、前記放射された心線対照用光信号を検出する心線対照用光信号受光装置であって、光ファイバ心線外へ放射させる前記心線対照用光信号の強度、及び、前記光ファイバ心線を伝搬する通信用光信号の強度を変化させることが可能な光強度変化手段を具備した心線対照用光信号受光装置において、前記光強度変化手段は、前記光ファイバ心線に与える湾曲の形状を変えることで、光ファイバ心線外へ放射させる前記心線対照用光信号の強度、及び、前記光ファイバ心線を伝搬する通信用光信号の強度を変化させることが可能な湾曲手段を具備し、前記湾曲手段は、前記光ファイバ心線を挾持して所定の異なる湾曲を与えるため、第１の曲率半径の凹部が形成された部分（以下「挾持凹部」という）と、この挾持凹部に対向する前記第１の曲率半径より小さい第２の曲率半径の凸部とこの凸部の両翼にあり湾曲面を一にする第３の曲率半径の第一の側凹部および第２の側凹部とが形成された部分（以下「挾持凸部」という）と、前記挾持凹部と前記挾持凸部の両翼との間に配置され、前記挾持凹部及び前記挾持凸部と共に前記光ファイバ心線を圧接し挾持することが可能な第１のアタッチメント部材および第２のアタッチメント部材とによって構成され、前記第１側凹部と前記第１アタッチメント部材との間及び前記挾持凹部と前記第２アタッチメント部材との間、又は、前記挾持凹部と前記第1アタッチメント部材との間及び前記第２側凹部と前記第２アタッチメント部材との間に前記光ファイバ心線を挾持させることで、前記光ファイバ心線に与える湾曲の曲率半径が、前記第１側凹部側又は前記第２側凹部側の一方が小さく、他方が大きくなる心線対照用光信号受光装置を使用する方法であって、前記アタッチメント部材の位置を調節して、通信光の損失を所定のレベルに抑制しつつ、光ファイバ心線外へ放出させた対照光を検出できるような湾曲を前記光ファイバ心線に与え、心線対照を行うことを特徴とする。言い換えれば、通信光の損失を抑制しつつ、光ファイバ心線外へ放出させる対照光を検出するために、受光装置を用いて光ファイバ心線に与える湾曲形状において、アタッチメント部材の位置を調節して、対照光が光ファイバ心線外へ放射しても心線対照のための受光に寄与しない部分の湾曲を緩和し、湾曲の総量を削減する。
【００２８】
第２発明は、光ファイバ通信網の建設や保守にあたって、光ファイバ心線の誤切断や誤接続を回避するために心線対照を行うシステムで使用され、光ファイバ心線の下部側で前記光ファイバ心線に湾曲を与えることにより、前記光ファイバ心線に光ファイバ心線の上部側で入射された心線対照用光信号を光ファイバ心線外へ放射させ、前記放射された心線対照用光信号を検出する心線対照用光信号受光装置であって、光ファイバ心線外へ放射させる前記心線対照用光信号の強度、及び、前記光ファイバ心線を伝搬する通信用光信号の強度を変化させることが可能な光強度変化手段を具備した心線対照用光信号受光装置において、前記光強度変化手段は、前記光ファイバ心線に与える湾曲の形状を変えることで、光ファイバ心線外へ放射させる前記心線対照用光信号の強度、及び、前記光ファイバ心線を伝搬する通信用光信号の強度を変化させることが可能な湾曲手段を具備し、前記湾曲手段は、前記光ファイバ心線を挾持して所定の異なる湾曲を与えるため、第１の曲率半径の凹部が形成された部分（以下「挾持凹部」という）と、この挾持凹部に対向する前記第１の曲率半径より小さい第２の曲率半径の凸部とこの凸部の両翼にあり湾曲面を一にする第３の曲率半径の第一の側凹部および第２の側凹部とが形成された部分（以下「挾持凸部」という）と、前記挾持凹部と前記挾持凸部の両翼との間に配置され、前記挾持凹部及び前記挾持凸部と共に前記光ファイバ心線を圧接し挾持することが可能な第１のアタッチメント部材および第２のアタッチメント部材とによって構成され、前記第１側凹部と前記第１アタッチメント部材との間及び前記挾持凹部と前記第２アタッチメント部材との間、又は、前記挾持凹部と前記第1アタッチメント部材との間及び前記第２側凹部と前記第２アタッチメント部材との間に前記光ファイバ心線を挾持させることで、前記光ファイバ心線に与える湾曲の曲率半径が、前記第１側凹部側又は前記第２側凹部側の一方が小さく、他方が大きくなる心線対照用光信号受光装置を使用する方法であって、前記アタッチメント部材の位置を調節して、対照光の進行方向、つまり、光線路の上部下部を判定できるような湾曲を前記光ファイバ心線に与え、心線対照を行うことを特徴とする。言い換えれば、光線路の上部下部の判定を行うため、受光装置を用いて光ファイバ心線に与える湾曲形状において、アタッチメント部材の位置を調節し、対照光の進行方向と、対照光を光ファイバ心線外へ放射可能な湾曲方向が合致したときのみ対照光の検出を可能とするように湾曲形状を設定する。
【００２９】
第５発明は、第３発明の受光装置を使用する方法であって、第１の湾曲手段と第２の湾曲手段を切り換えて光ファイバ心線に湾曲を与え、光線路の上部下部の特定を行うことを特徴とする。
【００３０】
第６発明は、第４発明の受光装置自体を持ち替えて、光線路の上部下部の特定を行うことを特徴とする心線対照用光信号受光装置の使用方法である。例えば、光ファイバ心線を下から受光装置で挾持したり、上から受光装置で挾持することで、光線路の上部下部の特定を行う。
【００３１】
上述した手段により、通信光として従来から使用してきた１．３１μｍと１．５５μｍに加え、Ｌバンド（１．５６５μｍ〜１．６２５μｍ）帯域の波長を使用しても、心線対照を行うため受光装置で光ファイバ心線に湾曲を与えた際に発生する通信光の損失を抑制しつつ、なおかつ、効率的に光ファイバ心線外に対照光を放射させ、検出することができる。従って、通信品質の低下を防止できる。また、対照光の方向性（進行方向）を確実に判定でき、該当の光ファイバ心線の特定はもちろんのこと、光ファイバ心線の切断位置を詳細に決めるための光線路の上部と下部の判定を確実に行うことができる。従って、光ファイバ心線の誤切断や誤接続を防止できる。
【００３２】
【発明の実施の形態】
以下、図面を参照して、本発明の実施の形態を説明する。
【００３３】
［第１実施例］
図３により、本発明の第１実施例として、受光装置（心線対照用光信号受光装置）の構成を説明する。図３は、本実施例に係る受光装置４の全体構成を、光ファイバ心線を圧接・挾持しない状態（把持した状態で、保持しない状態）を示した図である。このうち、図３（ａ）は受光装置の側面図、図３（ｂ）は上面図である。
【００３４】
図３（ａ）（ｂ）に示すように、本実施例の受光装置４は光強度変化手段として湾曲手段を具備するものであり、光ファイバ心線を挾持して所定の湾曲を与えるために、
(1) 所定の曲率半径（第１の曲率半径）の凹部１０ａが形成された挾持凹部１０と、
(2) 所定の曲率半径（第２の曲率半径）の凸部１５ａと、この凸部１５ａの両翼にあり湾曲面を一にする所定の曲率半径（第３の曲率半径）の２つの側凹部１５ｂ、１５ｃとが形成された挾持凸部１５と、
(3) 挾持凹部１０と挾持凸部１５の両翼との間に配置され、挾持凹部１０及び挾持凸部１５と共に光ファイバ心線を圧接し挾持することが可能な２つのアタッチメント部材３０、３５と、
(4) 光ファイバ心線を挾持する際に作業者が握るグリップ２０と、
(5) 挾持作業を行う際に作業者が手前（グリップ側）に引くトリガ２５と、
(6) 挾持凹部１０に内蔵した受光素子４０と
により構成される。
【００３５】
以下の説明では、図４、図５においては、符号１５ｂで示す側凹部は挾持凸部１５の左翼にあるので、側凹部Ｌと呼び、符号１５ｃで示す側凹部は挾持凸部１５の右翼にあるので、側凹部Ｒと呼ぶ。
【００３６】
同様に、図４、図５においては、符号３０で示すアタッチメント部材は挾持凸部１５の左側に位置するので、アタッチメント部材Ｌと呼び、符号３５で示すアタッチメント部材は挾持凸部１５の右側に位置するので、アタッチメント部材Ｒと呼ぶ。
【００３７】
挾持凹部１０は受光装置４の本体をなす部分であり、図３（ｂ）に示すように、挾持凹部１０には、光ファイバ心線に湾曲を与えるための凹部１０ａが形成されている。この凹部１０ａの湾曲形状は左右対称である。受光素子４０は、凹部１０ａの湾曲の中央（底部）から挾持凸部１５を望むように、挾持凹部１０内に配置されている。また、凹部１０ａには、図３（ａ）に示すように、光ファイバ心線を正しく挾持するため、光ファイバ心線が収まる形状の溝部１０ｅが形成されている。受光素子４０としては、例えばＧｅフォトダイオードやＩｎＧａＡｓフォトダイオード等が使用される。
【００３８】
更に、挾持凹部１０には、図３（ｂ）に示すように、作業者がグリップ２０を握り、トリガ２５を手前（グリップ側）に引くと、その動きに連動して挾持凸部１５が挾持凹部１０に向かって移動するためのスライド機構１０ｂと、挾持アタッチメント部材Ｌ３０を保持しその位置を調整するためのスライド機構１０ｃと、挾持アタッチメント部材Ｒ３５を保持しその位置を調整するためのスライド機構１０ｄが形成されている。
【００３９】
以下の説明では、図４、図５においては、符号１０ｂで示すスライド機構は中央に位置するので、スライド機構Ｃと呼び、符号１０ｃで示すスライド機構は左側に位置するので、スライド機構Ｌと呼び、符号１０ｄで示すスライド機構は右側に位置するので、スライド機構Ｒと呼ぶ。
【００４０】
挾持凸部１５は挾持凹部１０と対向するように受光装置４の本体部分に設けられている。具体的には、挾持凸部１５として、図３（ｂ）に示すように、光ファイバ心線を挾持して所定の湾曲を与えるために、凹部１０ａと対向する所定の曲率半径の凸部１５ａと、この凸部１５ａの左右両翼にあり湾曲面を一にする所定の曲率半径の側凹部Ｌ１５ｂ、側凹部Ｒ１５ｃとが形成されている。ここで、側凹部Ｌ１５ｂと側凹部Ｒ１５ｃの曲率半径は等しい（第３の曲率半径）。また、挾持凸部１５には、図３（ａ）に示すように、光ファイバ心線を正しく挾持するため、光ファイバ心線が収まる形状の溝部１５ｄが側凹部Ｌ１５ｂから凸部１５ａ及び側凹部Ｒ１５ｃにかけて形成されている。
【００４１】
この挾持凸部１５の湾曲形状は左右対称であり、その中央（凸部１５ａの頂部）が挾持凹部１０の中央に望むように、言い換えれば受光素子４０に望むように配置されている。本例では、挾持凸部１５は、その左右対称の湾曲の中心線（凸部１５ａの頂点と凸部１５ａの湾曲中心点とを結ぶ線）が挾持凸部１０の左右対照の湾曲の中心線（凹部１０ａの底部と凹部１０ａの湾曲中心点とを結ぶ線）に一致して、スライド機構Ｃ１０ｂにより移動するようにされている。
【００４２】
アタッチメント部材Ｌ３０には、図３（ｂ）に示すように、光ファイバ心線に湾曲を与えるために、挾持凹部１０側の凸部（以下、挾持凹部側凸部）３０ａと、挾持凸部１５の側凹部Ｌ１５ｂ側の凸部（以下、挾持凸部側凸部）３０ｂが形成されている。ここで、挾持凹部側凸部３０ａの曲率半径は凹部１０ａの曲率半径（第１の曲率半径）と等しく、挾持凸部側凸部３０ｂの曲率半径は側凹部Ｌ１５ｂの曲率半径（第３の曲率半径）と等しい。また、アタッチメント部材Ｌ３０には、図３（ａ）に示すように、光ファイバ心線を正しく挾持するため、光ファイバ心線が収まる形状の挾持凹部１０側の溝部（以下、挾持凹部側溝部）３０ｃと、挾持凸部１５側の溝部（以下、挾持凸部側溝部）３０ｄが形成されている。
【００４３】
このアタッチメント部材Ｌ３０は、挾持凹部１０に形成されたスライド機構Ｌ１０ｃにより保持されるとともに、直接手動で位置を調整させたり、作業者がグリップ２０を握ってトリガ２５を手前（グリップ側）に引いて挾持凸部１５を挾持凹部１０に向かってスライドさせた際、その押圧力で間接的にスライドして位置を調整させたりできるようになっている。
【００４４】
アタッチメント部材Ｒ３５には、図３（ｂ）に示すように、ファイバ心線に湾曲を与えるための挾持凹部１０側の凸部（以下、挾持凹部側凸部）３５ａと、挾持凸部１５の側凹部Ｒ１５ｃ側の凸部（以下、挾持凸部側凸部）３５ｂが形成されている。ここで、挾持凹部側凸部３５ａの曲率半径は凹部１０ａの曲率半径（第１の曲率半径）と等しく、挾持凸部側凸部３５ｂの曲率半径は側凹部Ｒ１５ｃの曲率半径（第３の曲率半径）と等しい。また、アタッチメント部材Ｒ３５には、図３（ａ）に示すように、光ファイバ心線を正しく挾持するため、光ファイバ心線が収まる形状の挾持凹部１０側の溝部（以下、挾持凹部側溝部）３５ｃと、挾持凸部１５側の溝部（以下、挾持凸部側溝部）３５ｄが形成されている。
【００４５】
このアタッチメント部材Ｒ３５は、挾持凹部１０に形成されたスライド機構Ｒ１０ｄにより保持されるとともに、直接手動で位置を調整させたり、作業者がグリップ２０を握ってトリガ２５を手前（グリップ側）に引いて挾持凸部１５を挾持凹部１０に向かってスライドさせた際、その押圧力で間接的にスライドして位置を調整させたりできるようになっている。
【００４６】
ここで、光ファイバ心線を圧接し挾持可能にするために、凹部１０ａと挾持凹部側凸部３０ａ及び挾持凹部側凸部３５ａの曲率半径は等しく（第１の曲率半径）、また、側凹部Ｌ１５ａ及び側凹部Ｒ１５ｂと、挾持凸部側凸部３０ｂ及び挾持凸部側凸部３５ｂの曲率半径は等しくしてある（第３の曲率半径）。
【００４７】
上述した構成の受光装置４においては、アタッチメント部材Ｌ３０及びアタッチメント部材Ｒ３５の位置を調整することで、
(1) アタッチメント部材Ｌ３０及びアタッチメント部材Ｒ３５をともに挾持凹部１０に沿わせ、光ファイバ心線をアタッチメント部材Ｌ３０と挾持凸部１５との間、挾持凸部１５と挾持凹部１０との間、アタッチメント部材Ｒ３５と挾持凸部１５との間に通した状態で、または、
(2) アタッチメント部材Ｌ３０のみ挾持凹部１０に沿わせ、アタッチメント部材Ｒ３５を挾持凸部１５に沿わせ、光ファイバ心線をアタッチメント部材Ｌ３０と挾持凸部１５との間、挾持凸部１５と挾持凹部１０との間、アタッチメント部材Ｒ３５と挾持凹部１０との間に通した状態、または、
(3) アタッチメント部材Ｌ３０を挾持凸部１５に沿わせ、アタッチメント部材Ｒ３５のみ挾持凹部１０に沿わせ、光ファイバ心線をアタッチメント部材Ｌ３０と挾持凹部１０との間、挾持凸部１５と挾持凹部１０との間、アタッチメント部材Ｒ３５と挾持凸部１５との間に通した状態、または、
(4) アタッチメント部材Ｌ３０及びアタッチメント部材Ｒ３５をともに挾持凸部１５に沿わせ、光ファイバ心線をアタッチメント部材Ｌ３０と挾持凹部１０との間、挾持凸部１５と挾持凹部１０との間、アタッチメント部材Ｒ３５と挾持凹部１０との間に通した状態で、
作業者がグリップ２０を握り、トリガ２５を手前（グリップ側）に引くことで、光ファイバ心線を圧接し挾持して種々の所定の湾曲を与えることができる。
【００４８】
上記(1) の状態で光ファイバ心線に与える湾曲の形状と、上記(4) の状態で光ファイバ心線に与える湾曲の形状はともに左右対称であり、上記(2) の状態で光ファイバ心線に与える湾曲の形状と、上記(3) の状態で光ファイバ心線に与える湾曲の形状はともに左右非対称である。
【００４９】
但し、一般に、挾持凸部１５の凸部１５ａの曲率半径（第２の曲率半径）、及び、側凹部Ｌ１５ｂ、側凹部Ｒ１５ｃの曲率半径（第３の曲率半径）は、挾持凹部１０の凹部１０ａの曲率半径（第１の曲率半径）よりも小さいので、上記(1) の状態で光ファイバ心線に与える湾曲形状の曲率半径は、上記(4) の状態で光ファイバ心線に与える湾曲形状に比べ、小さい。
【００５０】
なお、挾持凹部１０に対する挾持凸部１５のスライド機構Ｃ１０ｂや、アタッチメント部材Ｌ３０の、スライド機構Ｌ１０ｃ、、アタッチメント部材Ｒ３５のスライド機構Ｒ１０ｄは、本実施例では図示していないガイド溝とガイドからなるが、光ファイバ心線を挾持して所定の湾曲を与えることができる機構であれば、何でも良い。一例として、挾持凹部１０、挾持凸部１５、アタッチメント部材Ｌ３０及びアタッチメント部材Ｒ３５をそれぞれ支点により係止させた回転機構を採用することができる。
【００５１】
［第２実施例］
次に、図４により、本発明の第２実施例として、第１実施例で説明した受光装置４の使用方法を説明する。図４（ａ）（ｂ）は、この受光装置４を用いて心線対照を行う際に光ファイバ心線１に与える湾曲の状態を示している。
【００５２】
図４（ａ）では、光ファイバ心線１の上部側（図４（ａ）では左側）に設置した光源装置２から入射装置３を介して光ファイバ心線１に対照光が入射され、この対照光はアタッチメント部材Ｌ３０側からアタッチメント部材Ｒ３５側へ（図４（ａ）では左側から右側へ）進行しており、アタッチメント部材Ｌ３０を挾持凹部１０に沿わせ、アタッチメント部材Ｒ３５を挾持凸部１５に沿わせ、作業者がグリップ２０を握り、トリガ２５を手前（グリップ側）に引いた際、光ファイバ心線１に与える湾曲の状態を示している。従って、光ファイバ心線１は挾持凸部１５とアタッチメント部材Ｌ３０との間、挾持凹部１０と挾持凸部１５との間、挾持凹部１０とアタッチメント部材Ｒ３５との間を通って圧接され挾持されて、左右非対称に湾曲している。
【００５３】
図４（ｂ）では、光ファイバ心線１の上部側が図４（ａ）とは逆の右側である。即ち、光ファイバ心線１の上部側（図４（ｂ）では右側）に設置した光源装置２から入射装置３を介して光ファイバ心線１に対照光が入射され、この対照光はアタッチメント部材Ｒ３５側からアタッチメント部材Ｌ３０側へ（図４（ｂ）では右側から左側へ）進行しており、アタッチメント部材Ｌ３０を挾持凸部１５に沿わせ、アタッチメント部材Ｒ３５を挾持凹部１０に沿わせ、作業者がグリップ２０を握り、トリガ２５を手前（グリップ側）に引いた際、光ファイバ心線１に与える湾曲の状態を示している。従って、光ファイバ心線１は挾持凹部１０とアタッチメント部材Ｌ３０との間、挾持凹部１０と挾持凸部１５との間、挾持凸部１５とアタッチメント部材Ｒ３５との間に通って圧接され挾持されて、左右非対称に湾曲している。
【００５４】
その結果、図４（ａ）の湾曲状態においては、受光素子４０から見ても光ファイバ心線１の湾曲形状が左右非対称であるから、凸部１５ａの湾曲を含んで受光素子４０に至るまでのアタッチメント部材Ｌ３０側の湾曲が、光ファイバ心線１外へ放射した対照光を受光素子４０で受光でき心線対照に寄与する部分であって、曲率半径が小さい湾曲となり、受光素子４０を過ぎたアタッチメント部材Ｒ３５側の湾曲は、対照光が光ファイバ心線１外へ放射しても受光素子４０が受光せず心線対照に寄与しない部分であって、曲率半径が十分大きな緩やかな湾曲となっている。
【００５５】
また、図４（ｂ）の湾曲状態においては、同じく受光素子４０から見ても光ファイバ心線１の湾曲形状が左右非対称であるが、逆に、凸部１５ａの湾曲を含んで受光素子４０に至るまでのアタッチメント部材Ｒ３５側の湾曲が、光ファイバ心線１外へ放射した対照光を受光素子４０で受光でき心線対照に寄与する部分であって、曲率半径が小さい湾曲となり、受光素子４０を過ぎたアタッチメント部材Ｌ３０側の湾曲は、対照光が光ファイバ心線１外へ放射しても受光素子４０が受光せず心線対照に寄与しない部分であって、曲率半径が十分大きな緩やかな湾曲となっている。
【００５６】
このように、作業者がアタッチメント部材Ｌ３０やアタッチメント部材Ｒ３５の位置を調整して、図４（ａ）や図４（ｂ）に示す湾曲状態にすることにより、対照光が光ファイバ心線１外へ放射しても心線対照のための受光に寄与しない部分の湾曲を緩和し、受光装置４内での湾曲の総量を削減することが実現でき、通信光の損失を抑制しつつ、なおかつ、確実に対照光を検出できる。
【００５７】
ここで、対照光を光ファイバ心線１外へ放射させて心線対照のための受光に寄与する部分の湾曲を構成する、凸部１５ａ、側凹部Ｌ１５ｂ、側凹部Ｒ１５ｃ、挾持凸部側凸部３０ｂ及び挾持凸部側凸部３５ｂの各曲率半径（第２の曲率半径、第３の曲率半径）は、光ファイバ心線１を挾持しても光ファイバ心線１が破損あるいは欠損しないことはもちろんのこと、確実に対照光を検出できるように対照光を光ファイバ心線１外へ放射でき、かつ、通信光の損失をある所定のレベルに抑制するような値、例えば３ｍｍから１０ｍｍの範囲から選択して設定する。側凹部Ｌ１５ｂ及び側凹部Ｒ１５ｃは、凸部１５ａにより急峻な湾曲が与えられた光ファイバ心線１を滑らかに受光装置４外へ案内する機能を果たすので、第３の曲率半径が第２の曲率半径より大きくてもかまわない。
【００５８】
また、対照光が光ファイバ心線１外へ放射しても心線対照のための受光に寄与しない部分の湾曲を構成する、凹部１０ａ、挾持凹部側凸部３０ａ及び挾持凹部側凸部３５ａの各曲率半径（第１の曲率半径）は、光ファイバ心線１を挾持しても光ファイバ心線１が破損あるいは欠損しないことはもちろんのこと、対照光の光ファイバ心線１外への放射も、通信光の損失も発生させないような値、例えば３０ｍｍから無限大（直線）の範囲から選択して設定する。
【００５９】
例えば、心線対照作業を実施する個所が光源装置２に近くで、対照光の強度が十分強い場合などは、緩やかな湾曲であっても対照光の光ファイバ心線１外への放射量を大きく稼ぐことができるため、対照光が光ファイバ心線１外へ放射して心線対照のための受光に寄与する部分の曲率半径を大きくし、結果として、通信光の損失を更に抑制することが可能となる。その以外にも、湾曲で発生する通信光の損失において所定の要求値に対し十分な余裕があれば、その余裕の範囲内で、更に対照光が光ファイバ心線１外へ放射して心線対照のための受光に寄与する部分の曲率半径を小さくし、結果として、対照光の光ファイバ心線１外への放射量を増やし、検出感度を高めることが可能となる。
【００６０】
もちろん、湾曲で発生する通信光の損失において、所定の要求値に対し十分な余裕があれば、アタッチメント部材Ｌ３０及びアタッチメント部材Ｒ３５共に挾持凹部１０に沿わせた状態で、光ファイバ心線１をアタッチメント部材Ｌ３０及びアタッチメント部材Ｒ３５と挾持凸部１５とで挾持して心線対照を行っても構わない。
【００６１】
また、通信光の波長がＬバンド帯域ではなく、従来から使用されている１．３１μｍや１．５５μｍなどである場合は、アタッチメント部材Ｌ３０及びアタッチメント部材Ｒ３５共に挾持凸部１５に沿わせた状態で、光ファイバ心線１をアタッチメント部材Ｌ３０及びアタッチメント部材Ｒ３５と挾持凹部１０とで挾持して心線対照を行っても構わない。
【００６２】
このように、アタッチメント部材Ｌ３０及びアタッチメント部材Ｒ３５の位置調節だけでなく、外的要因に合わせて、対照光が光ファイバ心線１外へ放射して心線対照のための受光に寄与する部分の湾曲の曲率半径の組み合わせを変えて、光ファイバ心線１に与える湾曲を所定の形状に形成することも可能である。
【００６３】
［第３実施例］
次に、図５により、本発明の第２実施例として、第１実施例で説明した受光装置４の別の使用方法を説明する。図５（ａ）（ｂ）は、この受光装置４を用いて光線路の上部と下部の判定を行う際の、湾曲の状態と対照光の進行方向の状態を示している。
【００６４】
図５（ａ）では、対照光の進行方向と光ファイバ心線１の湾曲状態が図４（ａ）と同様である。即ち、光ファイバ心線１の上部側（図５（ａ）では左側）に設置した光源装置２から入射装置３を介して光ファイバ心線１に対照光が入射され、この対照光はアタッチメント部材Ｌ３０側からアタッチメント部材Ｒ３５側へ（図５（ａ）では左側から右側へ）進行しており、アタッチメント部材Ｌ３０を挾持凹部１０に沿わせ、アタッチメント部材Ｒ３５を挾持凸部１５に沿わせ、作業者がグリップ２０を握り、トリガ２５を手前（グリップ側）に引いた際、光ファイバ心線１に与える湾曲の状態を示している。従って、光ファイバ心線１はアタッチメント部材Ｌ３０と挾持凸部１５との間、挾持凹部１０と挾持凸部１５との間、挾持凹部１０とアタッチメント部材Ｒ３５との間を通って挾持されて、湾曲している。
【００６５】
図５（ｂ）では、光ファイバ心線１の上部側が図５（ａ）とは逆の右側であるが、光ファイバ心線１の湾曲状態は図５（ａ）と同じである。即ち、光ファイバ心線１の上部側（図５（ｂ）では右側）に設置した光源装置２から入射装置３を介して光ファイバ心線１に対照光が入射され、この対照光はアタッチメント部材Ｒ３５側からアタッチメント部材Ｌ３０側へ（図５（ｂ）では右側から左側へ）進行しており、アタッチメント部材Ｌ３０を挾持凹部１０に沿わせ、アタッチメント部材Ｒ３５を挾持凸部１５に沿わせ、作業者がグリップ２０を握り、トリガ２５を手前（グリップ側）に引いた際、光ファイバ心線１に与える湾曲の状態を示している。従って、光ファイバ心線１は挾持凸部１５とアタッチメント部材Ｌ３０との間、挾持凹部１０と挾持凸部１５との間、挾持凹部１０とアタッチメント部材Ｒ３５との間を通って挾持されて、湾曲している。
【００６６】
そして心線対照に際し、図５（ａ）においては、対照光は、この対照光が光ファイバ心線１外へ放射して心線対照のための受光に寄与する部分の湾曲である側凹部Ｌ１５ｂと凸部側凸部３０ｃとの圧接面を通過して、凸部１５ａ及び受光素子４０に到達しており、対照光の進行方向と、対照光の光ファイバ心線１外への放射を促す湾曲の方向とが合致しているため、対照光が光ファイバ心線１外へ受光素子４０に対して放射され、受光素子４０で対照光の検出ができる。
【００６７】
図５（ｂ）においては、対照光が、凸部１５ａ及び受光素子４０を過ぎてから、側凹部Ｌ１５ｂと凸部側凸部３０ｃとの圧接面を通過しており、対照光の進行方向と、対照光の光ファイバ心線１外への放射を促す湾曲の方向とが合致しないため、対照光が光ファイバ心線１外へ放射されても受光素子４０に対しては放射されず、受光素子４０で対照光の検出ができない。
【００６８】
従って、もし仮に、対照光の進行方向が不明であっても、図４（ａ）と図４（ｂ）に示す異なる湾曲状態で心線対照を行った結果が、図４（ａ）に示す湾曲状態で対照光を検出できて、図４（ｂ）に示す湾曲状態では対照光を検出できなかったとすれば、対照光がアタッチメント部材Ｌ３０側からアタッチメント部材Ｒ３５側へ進行しているということが判る。つまり、この場合の光ファイバ心線１の上部は、アタッチメント部材Ｌ３０側であると特定できる。
【００６９】
この逆も然りであり、図４（ａ）に示す湾曲状態では対照光を検出できず、図４（ｂ）に示す湾曲状態で対照光を検出できたとすれば、対照光がアタッチメント部材Ｒ３５側からアタッチメント部材Ｌ３０側へ進行しているということが判る。つまり、この場合の光ファイバ心線１の上部は、アタッチメント部材Ｒ３５側であると特定できる。
【００７０】
このように、作業者が、図４（ａ）と図４（ｂ）に示す湾曲状態となるようにアタッチメント部材Ｌ３０及びアタッチメント部材Ｒ３５の位置を調整し、対照光の検出が可能な湾曲の方向を特定することにより、対照光の進行方向、つまり、光線路の上部下部を確実に特定できる。
【００７１】
なお、湾曲手段としては、図４（ａ）や図４（ｂ）に示したように光ファイバ心線１を挾持して所定の湾曲を与えることができるものであれば、図３に示した構成のものに限定されることはない。
【００７２】
例えば、図３の構成に準じて、アタッチメント部材Ｌ３０と挾持凹部１０とを１固体とした凹凸部と、アタッチメント部材Ｒ３５と挾持凸部１５とを１固体とした凹凸部とで、図４（ａ）に示す湾曲を光ファイバ心線１に与える湾曲手段を構成し、また、これとは別に、図３の構成に準じて、アタッチメント部材Ｒ３５と挾持凹部１０とを１固体とした凹凸部と、アタッチメント部材Ｌ３０と挾持凸部１５とを１固体とした凹凸部とで、図４（ｂ）に示す湾曲を光ファイバ心線１に与える湾曲手段を構成し、これら２種類の湾曲手段を採用して受光装置４に備える。このような受光装置にあっては、２種類の湾曲手段を切り換えて光ファイバ心線１を挾持して湾曲を与えることにより、心線対照を行うことができる。心線対照における光ファイバ心線１の特定、及び、光線路の上部下部の特定の原理は、上述したとおりである。
【００７３】
この場合、１個の受光素子４０を２つの湾曲手段の両方に対応するように設けたり、２個の受光素子４０を２つの湾曲手段に別々に設けたりすることができる。
【００７４】
また、図３の構成に準じて、アタッチメント部材Ｌ３０と挾持凹部１０とを１固体とした凹凸部と、アタッチメント部材Ｒ３５と挾持凸部１５とを１固体とした凹凸部とで、図４（ａ）に示す湾曲を光ファイバ心線１に与える湾曲手段のみを構成して受光装置４に備え、あるいは、図３の構成に準じて、アタッチメント部材Ｒ３５と挾持凹部１０とを１固体とした凹凸部と、アタッチメント部材Ｌ３０と挾持凸部１５とを１固体とした凹凸部とで、図４（ｂ）に示す湾曲を光ファイバ心線１に与える湾曲手段のみを構成して受光装置４に備え、この１種類の湾曲手段のみを備えた受光装置４自体を作業者が持ち替えて、例えば、光ファイバ心線１を下から受光装置４で挾持したり、上から受光装置４で挾持することで、心線対照を行うことができる。あるいは、光ファイバ心線１を右側から受光装置４で挾持したり、左側から受光装置４で挾持するように、受光装置４自体を作業者が持ち替えることで、心線対照を行うことができる。心線対照における光ファイバ心線１の特定、及び、光線路の上部下部の特定の原理は、上述したとおりである。
【００７５】
【発明の効果】
以上の説明から判るように、本発明によれば、通信光の強度、及び、光ファイバ心線外へ放射させる対照光の強度を変化させる手段、例えば、光ファイバ心線に与える湾曲の形状を変える湾曲手段を受光装置に具備したことにより、通信光としてＬバンド（１．５６５μｍ〜１．６２５μｍ）帯域の波長など、長い波長を使用しても、通信光の損失をある所定のレベルに抑制することはもちろんのこと、従来から使用されている１．３１μｍと１．５５μｍの波長の通信光については、従来にも増して損失を低減しつつ、なおかつ、効率的に対照光を検出することができるようになるため、通信品質の低下を防止できる。
【００７６】
また、本発明によれば、湾曲手段により左右非対称の湾曲形状を光ファイバ心線に与えることができるので、対照光の方向性を確実に判定でき、該当する光ファイバ心線の特定はもちろんのこと、光ファイバ心線の切断位置を詳細に決めるため光線路の上部下部を確実に特定できるようになるため、光ファイバ心線の誤切断や誤接続を防止できる。
【００７７】
このように、本発明は今後の光通信サービスの工事稼働削減や信頼性向上に大きく寄与する。
【図面の簡単な説明】
【図１】従来の心線対照方法の一例を示す概略図。
【図２】従来の心線対照用光信号受光装置が光ファイバ心線に与える湾曲形状を示す図。
【図３】本発明の第１実施例に係る心線対照用光信号受光装置の構成を示す図。
【図４】本発明の第２実施例に係る心線対照用光信号受光装置の使用方法として、心線対照を行う際の湾曲の状態を示す図。
【図５】本発明の第３実施例に係る心線対照用光信号受光装置の使用方法）として、光線路の上部下部の判定を行う際の湾曲の状態と心線対照用光信号の進行方向を示す図。
【符号の説明】
１  光ファイバ心線
２  光源装置（心線対照用光信号光源装置）
３  入射装置（心線対照用光信号入射装置）
４  受光装置（心線対照用光信号受光装置）
１０  挾持凹部（光強度変化手段の一部、湾曲手段の一部）
１０ａ  凹部
１０ｂ  スライド機構Ｃ
１０ｃ  スライド機構Ｌ
１０ｄ  スライド機構Ｒ
１０ｅ  溝部
１５  挾持凸部（光強度変化手段の一部、湾曲手段の一部）
１５ａ  凸部
１５ｂ  側凹部Ｌ
１５ｃ  側凹部Ｒ
１５ｄ  溝部
２０  グリップ
２５  トリガ
３０  挾持アタッチメント部材（光強度変化手段の一部、湾曲手段の一部）
３０ａ  挾持凹部側凸部
３０ｂ  挾持凸部側凸部
３０ｃ  挾持凹部側溝部
３０ｄ  挾持凸部側溝部
３５  挾持アタッチメント部材（光強度変化手段の一部、湾曲手段の一部）
３５ａ  挾持凹部側凸部
３５ｂ  挾持凸部側凸部
３５ｃ  挾持凹部側溝部
３５ｄ  挾持凸部側溝部
４０  受光素子（心線対照用光信号受光素子）
【図１】
0003778433.tif 000002
【図２】
0003778433.tif 000003
【図３】
0003778433.tif 000004
【図４】
0003778433.tif 000005
【図５】
0003778433.tif 000006